(57)【要約】【課題】ロータケースの凹部に係止板を確実に保持させることで、組立作業の容易化を実現する。【解決手段】ロータケース２１の凹部２１１Ａ，２１１Ｂ，２１１Ｃに連通部２１２，２１３を形成し、係止板２９に当接部２９１，２９２を設けた。係止板２９は、当接部２９１，２９２を連通部２１２，２１３に嵌入させてロータケース２１に装着する。当接部２９１，２９２は、凹部２１１Ａ，２１１Ｂ，２１１Ｃに露出するとともに、ロータケース２１における連通部２１２，２１３の間をロータケース２１の軸方向に沿って挟持する。係止板２９は、ロータケース２１の周面に形成された凹部２１１Ａ，２１１Ｂ，２１１Ｃの少なくとも１つに、半径方向の外側から選択的に装着される。【選択図】図３
2010121414.tif 000002
【特許請求の範囲】
【請求項１】
円筒形のロータケースと、
前記ロータケース内に複数の回転位置の何れかに選択的に位置するように回転自在に挿入されたロータであって、前面に開放した軸方向の鍵穴と、前記鍵穴の内周面から互いに異なる第１及び第２の半径方向に沿って外周面に連通する第１及び第２の孔部と、を有するロータと、
前記第１の孔部に前記第１の半径方向に沿って移動自在に挿入されたサイドバーと、
前記第２の孔部に前記第２の半径方向に沿って移動自在に挿入されたタンブラであって前記鍵穴に連通する貫通孔、及び前記サイドバーに選択的に当接する突起を有するタンブラと、
を備え、
前記ロータケースは、内周面における前記複数の回転位置のそれぞれで前記サイドバーが嵌入する複数の凹部であって前記ロータケースの軸方向の一部に前記ロータケースの外周面に連通する連通部を有する複数の凹部を有し、
前記ロータケースの外周面における前記複数の凹部に対向する位置に前記ロータケースの半径方向に沿って装着される係止板であって前記連通部に嵌入して前記サイドバーに当接する当接部を有する係止板が装着可能な錠ユニット。
【請求項２】
前記当接部は、前記ロータケースの軸方向に沿って前記ロータケースに弾性係合する請求項１に記載の錠ユニット。
【請求項３】
前記複数の凹部のそれぞれは、前記軸方向の２個所に前記連通部を有し、
前記係止板は、前記軸方向の両端部のそれぞれに当接部を有するとともに、前記当接部の間に前記ロータケースの一部を挟持する請求項１又は２に記載の錠ユニット。
【請求項４】
請求項１乃至３の何れかに記載の錠ユニットを備え、前記ロータの複数の回転位置のそれぞれに応じた信号を出力するスイッチを備えた錠付装置。
【発明の詳細な説明】
【技術分野】
【０００１】
この発明は、ロータの複数の回転位置の少なくとも１つでサイドバーの変位を規制することによって板鍵の抜取りを禁止する錠ユニット、及びこの錠ユニットを備えた錠付装置に関する。
【背景技術】
【０００２】
工場内に設置された機器を制御する制御盤は、例えば、装置を予め設定された状態で自動的に動作させる自動モード、機器の動作状態を設定するセッティングモード、及び機器の安全装置を解除する解除モード等の複数の制御モードの選択操作を受け付ける。制御モードを切り換えるために制御盤には錠ユニットを備えた錠付装置が備えられている（例えば、特許文献１の図６参照。）。錠付装置は、板鍵を介して操作された錠ユニットのロータの回転位置に応じた選択信号を出力する。
【０００３】
制御盤での制御モードの選択に錠付装置を使用する場合、板鍵の紛失の防止、及び制御モードの緊急変更時の便宜等のため、一部の制御モードに対応した回転位置にあるロータからの板鍵の抜取りを禁止する必要がある。
【０００４】
そこで、従来の錠付装置に備えられる錠ユニットでは、所定の回転位置にあるロータからの板鍵の抜取りを禁止するための係止板を装着できるようにされている。錠ユニットは、鍵穴に挿入された板鍵の鍵溝の形状に応じて上下動するディスクタンブラと、ディスクタンブラの上下動に連動してロータの半径方向に移動するサイドバーと、を備えている。また、ロータが回転自在に内挿されるロータケースの内周面における所定の回転位置にサイドバーが嵌入する凹部が形成されている。係止板は、ロータケースの凹部に挿入されて凹部へのサイドバーの嵌入を禁止し、ディスクタンブラが上下方向に移動できないようにして板鍵の抜取りを防止する。また、サイドバー式の錠ユニットとしては、特許文献２がある。
【特許文献１】特開平０８−１８５７６７号公報の図６
【特許文献２】特開平０５−２８７９４２号公報
【発明の開示】
【発明が解決しようとする課題】
【０００５】
しかし、従来の錠ユニットでは、係止板がロータケースの凹部へロータケースの軸方向に挿入されていたため、錠ユニットの組立時にロータケースが傾斜すると凹部から係止板が容易に脱落し、組立作業が煩雑になる問題があった。
【０００６】
この発明の目的は、サイドバー式の錠ユニットにおいて、ロータケースの凹部に係止板を確実に保持させることで、組立作業の容易化を実現できる錠ユニット及び錠付装置を提供することにある。
【課題を解決するための手段】
【０００７】
上記の課題を解決するための手段として、この発明の錠ユニットは、ロータケース、ロータ、サイドバー、タンブラを備え、係止板を装着可能にしている。
【０００８】
ロータケースは、円筒形を呈し、ロータが回転自在に内挿される。また、ロータケースは、内周面における複数の回転位置のそれぞれでサイドバーが嵌入する複数の凹部であってロータケースの軸方向の一部にロータケースの外周面に連通する連通部を有する複数の凹部を有している。ロータは、ロータケース内に複数の回転位置の何れかに選択的に位置するように回転自在に挿入され、前面に開放した軸方向の鍵穴と、鍵穴の内周面から互いに異なる第１及び第２の半径方向に沿って外周面に連通する第１及び第２の孔部と、を有している。サイドバーは、第１の孔部に第１の半径方向に沿って移動自在に挿入されている。タンブラは、第２の孔部に第２の半径方向に沿って移動自在に挿入され、鍵穴に連通する貫通孔、及びサイドバーに選択的に当接する突起を有する。係止板は、ロータケースの外周面における複数の凹部に対向する位置にロータケースの半径方向に沿って装着される。係止板は、連通部に嵌入してサイドバーに当接する当接部を有している。
【０００９】
この構成では、鍵穴に対する板鍵の抜き差しに連動したタンブラの移動をサイドバーを介して規制する係止板が、当接部をロータケースの外周面から凹部の連通部に嵌入した状態でロータケースに装着される。したがって、錠ユニットの組立時に係止板を装着したロータケースが傾斜した際に、ロータケースから係止板が容易に脱落することがない。
【００１０】
この構成において、当接部をロータケースに対して軸方向に弾性係合させることが好ましい。ロータケースからの係止板の脱落をより確実に防止できるとともに、ロータケースに対して係止板を容易に着脱できる。例えば、複数の凹部のそれぞれの軸方向の２個所に連通部を形成し、係止板における軸方向の両端部のそれぞれに当接部を形成し、当接部の間にロータケースの一部を挟持させる。
【発明の効果】
【００１１】
この発明によれば、ロータケースの凹部に係止板を確実に保持させることができ、組立作業の容易化を実現できる。
【発明を実施するための最良の形態】
【００１２】
図１は、この発明の実施形態に係る錠付装置の組立図である。錠付装置１は、例えば、セレクタスイッチであり、本体１０、錠ユニット２０、カム３０及び固定ネジ４０を備え、例えば工場内に設置された装置の動作状態の制御操作を受け付ける制御盤に備えられ、制御モードの切り換えに用いられる。
【００１３】
本体１０は一例として樹脂材料によって前面及び背面が開放した略円筒形状に形成されている。錠ユニット２０は、一例として金属材料によって形成されたロータケース２１及びロータ２２を備えている。ロータ２２は、ロータケース２１内で回転自在に保持されている。ロータ２２には、前面側に開放した鍵穴２３が形成されている。鍵穴２３には、板鍵５０が挿入される。カム３０は、一例として樹脂材料によって前面が開放した略円筒形状に形成されており、底面には固定ネジ４０が貫通する孔部３１が形成されている。
【００１４】
錠ユニット２０は本体１０の内部に前面側から挿入され、カム３０は本体１０内部に背面側から挿入される。本体１０の内部で、錠ユニット２０の背面に突出したロータ２２の軸部２０Ａがカム３０に前面側から嵌入する。カム３０に対する軸部２０Ａの嵌入状態は、固定ネジ４０によって固定的に維持され、カム３０はロータ２２と一体的に回転する。
【００１５】
カム３０の周面には、筒状カム３２が形成されている。筒状カム３２には、操作部材１１（図３参照。）の前面側端部１１Ａが背面側からバネ１２によって当接（摺接）する。本体１０の錠ユニット２０の反対側には、図示しないスイッチ部が接続されている。操作部材１１の背面側端部１１Ｂはスイッチ部の可動接点に当接する。
【００１６】
鍵穴２３に挿入された板鍵５０を介してロータ２２が回転すると、筒状カム３１と操作部材との当接位置が軸方向に変位する。ロータ２２の回転位置に応じて、スイッチ部の可動接点が動作し、スイッチ部から信号が出力される。
【００１７】
ロータ２２は、鍵穴２３が垂直方向に平行な中立位置から時計方向及び反時計方向にそれぞれ所定の回転範囲内で回転できるようにされている。スイッチは、ロータ２２が中立位置から時計方向に所定の回転範囲まで回転した時と反時計方向に所定の回転範囲まで回転した時とで互いに異なる制御モードに対応した信号を出力する。
【００１８】
図２は、錠付装置に備えられるこの発明の実施形態に係る錠ユニットの組立図である。錠ユニット２０は、一例としてロータケース２１、ロータ２２、３枚のディスクタンブラ２４、３個のタンブラバネ２５、サイドバー２６、２個のサイドバーバネ２７、２本のモードピン２８Ａ，２８Ｂ及び係止板２９を備えている。
【００１９】
ディスクタンブラ２４、タンブラバネ２５、サイドバー２６、サイドバーバネ２７及びモードピン２８は、ロータ２２に保持される。
【００２０】
３枚のディスクタンブラ２４は、それぞれロータ２２の軸方向の異なる位置に形成された凹部２２１に嵌入し、ロータ２２の半径方向に沿って移動自在に保持される。各ディスクタンブラ２４には、凸部２４２を備えた孔部２４１が形成されている。孔部２４１は、ロータ２２内で鍵穴２３にロータ２２の軸方向に連通する。各ディスクタンブラ２４で段部２４３は互いに異なる上下位置に形成されている。各ディスクタンブラ２４には、同じ上下位置に凸部２４２が形成されている。
【００２１】
３個のタンブラバネ２５は、ロータ２２内に保持されて、それぞれディスクタンブラ２４を一方向に付勢する。
【００２２】
サイドバー２６は、ロータ２２の凹部２２２に嵌入し、ロータ２２の半径方向であってディスクタンブラの移動方向とは異なる方向に沿って移動自在に保持される。サイドバー２６は、段部２４３が選択的に嵌入する凹部２６１を内側面に備えている。また、サイドバー２６は、突起２６２を外側面に備えている。
【００２３】
サイドバーバネ２７は、サイドバー２６をロータ２２の外側に向けて付勢する。
【００２４】
係止板２９は、一例として樹脂を素材として形成されており、ロータケース２１の周面に形成された凹部２１１Ａ，２１１Ｂ，２１１Ｃのうち板鍵５０の抜取りを禁止すべき凹部に、半径方向の外側から装着される。一例として、凹部２１１Ｂには、ロータケース２１の軸方向の両端部に連通部２１２，２１３が形成されている。連通部２１２，２１３は、凹部２１１Ｂにおいてロータケース２１の外周面と内周面との間を貫通している。凹部２１１Ａ，２１１Ｃも凹部２１１Ｂと同様に形成されている。
【００２５】
係止板２９は、ロータケース２１の軸方向の両端部から延出する当接部２９１，２９２を備えている。係止板２９は、当接部２９１，２９２を連通部２１２，２１３に嵌入させてロータケース２１に装着される。当接部２９１，２９２は、ロータケース２１における連通部２１２，２１３の間をロータケース２１の軸方向に沿って挟持する。これによって、係止板２９がロータケース２１に確実に装着され、錠ユニット２０の組立時にロータケース２１が傾斜しても係止板２９がロータケース２１から脱落することはない。また、当接部２９１及び２９２は、係止板２９の両端側に設け、係止板２９の中央側に設けていないのは、ディスクタンブラ２４が干渉しない位置に設ける必要があるためでもある。
【００２６】
凹部２１１Ａ，２１１Ｂ，２１１Ｃのうち、係止板２９が装着されていないものには、サイドバー２６の突起２６２が選択的に嵌入する。
【００２７】
鍵孔２３に挿入される板鍵５０には、上下面のそれぞれに一例として２個ずつの凹部５１Ａ，５１Ｂが形成されており、側面にキー溝５２が形成されている。凹部５１Ａ，５１Ｂは、板鍵５０が鍵穴２３に挿入された状態で、ロータ２２におけるモードピン２８の保持位置に対向する位置に形成されている。
【００２８】
図３（Ａ）は錠ユニットの平面断面図であり、図３（Ｂ）は図３（Ａ）のＢ−Ｂ部における正面断面図である。図３では、鍵穴２３に板鍵５０が挿入されており、サイドバー２６がロータケース２１の凹部２１１Ｂに対向する回転位置にある状態を示している。ロータケース２１の凹部２１１Ａ，２１１Ｂ，２１１Ｃのうち、凹部２１１Ｂに係止板２９が装着されている。
【００２９】
ロータ２２は、ロータケース２１において複数の凹部２１１Ａ，２１１Ｂ，２１１Ｃのそれぞれにサイドバー２６の突起２６２が対向する回転位置で停止する。複数の凹部２１１Ａ，２１１Ｂ，２１１Ｃのうち係止板２９が装着されていない凹部２１１Ａ，２１１Ｃに突起２６２が対向する回転位置にロータ２２が位置している場合、サイドバーバネ２７の弾性力によって突起２６２が凹部２１１に嵌入するようにサイドバー２６が外側に移動する。このとき、段部２４３は、凹部２６１に嵌入することがなく、ディスクタンブラ２４はロータ２２の半径方向に自由に移動できるため、鍵穴２３に板鍵５０を自由に抜き差しできる。
【００３０】
複数の凹部２１１Ａ，２１１Ｂ，２１１Ｃのうち係止板２９が装着されている凹部２１１Ｂに突起２６２が対向する回転位置にロータ２２が位置している場合、サイドバーバネ２７の弾性力によってもサイドバー２６が外側に移動しない。このとき、段部２４３は、凹部２６１に嵌入し、ディスクタンブラ２４はロータ２２の半径方向への移動を規制されるため、鍵穴２３から板鍵５０を抜き出すことができない。
【００３１】
したがって、係止板２９をロータケース２１の凹部２１１Ａ，２１１Ｂ，２１１Ｃの何れかに装着することにより、ロータ２２の何れかの回転位置で板鍵５０の抜取りを規制することができる。
【００３２】
上記の実施形態はいずれも一例であり、この発明はこれらに限定されるものではなく、この発明の範囲内で種々の変更を加えることが可能である。
【００３３】
例えば、この発明の係止板は、上記の実施形態に示した係止板２９の形状に限るものではなく、凹部２１１Ａ，２１１Ｂ，２１１Ｃの何れかで連通孔２１２，２１３に嵌入してロータケース２１の内周部に露出する当接部を有し、ロータケース２１の外周面に外側から装着されることを条件に種々の形状とすることができる。また、この発明の連通孔は、凹部２１１Ａ，２１１Ｂ，２１１Ｃのそれぞれにおいて少なくとも１つ形成されていれば良い。
【図面の簡単な説明】
【００３４】
【図１】この発明の実施形態に係る錠付装置の組立図である。
【図２】錠付装置に備えられるこの発明の実施形態に係る錠ユニットの組立図である。
【図３】（Ａ）は錠ユニットの平面断面図であり、（Ｂ）は（Ａ）のＢ−Ｂ部における正面断面図である。
【符号の説明】
【００３５】
１：錠付装置
１０：本体
２０：錠ユニット
２１：ロータケース
２２：ロータ
２３：鍵穴
２９：係止板
５０：板鍵
２１１Ａ，２１１Ｂ，２１１Ｃ：凹部
２１２，２１３：連通孔
【図１】
2010121414.tif 000003
【図２】
2010121414.tif 000004
【図３】
2010121414.tif 000005